(57)【特許請求の範囲】
【請求項１】
調整目盛を有し、この調整目盛に対応するボリュームアナログ出力値を出力する調整ボリュームと、
前記ボリュームアナログ出力値をボリュームディジタル値に変換するＡ／Ｄ変換回路と、オン、オフ操作される操作スイッチと、
前記調整ボリュームに対応するディジタルボリューム値と、前記調整ボリュームの調整目盛値との対応データを記憶した記憶テーブルを有するテーブルメモリと、
前記操作スイッチと前記Ａ／Ｄ変換回路と前記テーブルメモリに接続され、レーダ装置の通常動作時に、前記操作スイッチの状態と前記ボリュームディジタル値を読み取り、前記操作スイッチのオン動作により、前記記憶テーブルを参照し、前記ボリュームディジタル値に基づいて、それと一致する前記ディジタルボリューム値に対応する前記調整目盛値を読み出し、この調整目盛値に対応してレーダ装置を制御するレーダ制御部とを備え、
前記調整ボリュームの周囲温度の変化、またはその抵抗値の経年変化に関連して、前記記憶テーブルにおける前記ディジタルボリューム値を校正するレーダ装置の調整ボリュームの校正回路であって、
前記調整ボリュームの校正指示信号の入力部を前記レーダ制御部に設け、前記記憶テーブルにおける前記ディジタルボリューム値を校正するときに前記校正指示信号が所定レベルとされ、この校正指示信号が所定レベルとされたときに、前記レーダ制御部が、前記操作スイッチのオン動作により、前記調整ボリュームの調整目盛値に対応した前記ボリュームディジタル値を読み込み、この読み込んだボリュームディジタル値を用い、前記記憶テーブルにおいて、前記調整ボリュームの調整目盛値に対応する前記ディジタルボリューム値を校正するように構成したことを特徴とするレーダ装置の調整ボリュームの校正回路。
【請求項２】
請求項１記載したレーダ装置の調整ボリュームの校正回路であって、前記校正指示信号が所定レベルとされたときに、前記レーダ制御部が、前記調整ボリュームの複数の調整目盛値のそれぞれに対応した前記各ボリュームディジタル値を前記操作スイッチのオン動作により読み込み、これらの読み込んだ各ボリュームディジタル値を用い、前記記憶テーブルにおいて、前記調整ボリュームの各調整目盛値のそれぞれに対応する前記各ディジタルボリューム値を校正するように構成したことを特徴とするレーダ装置の調整ボリュームの校正回路。
【請求項３】
請求項２記載したレーダ装置の調整ボリュームの校正回路であって、前記レーダ制御部が、前記記憶テーブルについて、前記複数の調整目盛値の中の隣接する２つの調整目盛値の間の中間目盛値に対応した前記ディジタルボリューム値を、前記２つの調整目盛値に対応して校正したディジタルボリューム値を用いて、直線補間により校正するように構成したことを特徴とするレーダ装置の調整ボリュームの校正回路。
【発明の詳細な説明】
【技術分野】
【０００１】
この発明は、例えば航空機、車両などに搭載されるレーダ装置の調整ボリュームの校正回路に関するものである。
【背景技術】
【０００２】
航空機または自動車に搭載されるレーダ装置を制御する操作パネルには、レーダ装置の状態制御を行なう操作スイッチ、およびレーダ表示器の映像の濃さまたはティルト角を調整する調整ボリュームが設けられている。操作スイッチを示す文献は不明であるが、調整ボリュームは、特開平７−１５９５１４号公報の図１に示されている。調整ボリュームは、可変抵抗器であり、この調整ボリュームには、その可変抵抗器の可変量を示す調整目盛が付設され、この調整目盛は、例えば操作パネル表面に印刷される。航空機、自動車の操作員は、この調整目盛に対して、調整ボリュームに示された基準位置を合わせることにより、レーダ表示器の映像の濃さまたはティルト角を調整している。可変量は、調整ボリュームからは電圧値として出力され、この電圧値の読取側において、電圧値と調整目盛との対応関係を予め記憶しておくことにより、調整ボリュームから出力された電圧値から調整ボリュームの調整目盛値を判定し、調整を行なう。
【０００３】
ところが、調整ボリュームから出力される電圧値は、抵抗値のバラツキにより、調整目盛値に対応する電圧値が、各航空機搭載用または車両搭載用レーダ装置で一定ではなく、加えて、周囲温度の変化および経年変化などの環境変化に起因してその電圧値が変動するので、調整ボリュームの調整目盛値と電圧値との対応関係がずれ、調整ボリュームによる調整点がずれてくる。航空機、自動車の操作員は、この調整ボリュームによる調整点のずれを校正する必要がある。
【０００４】
特開平７−２３１４０９号公報には、映像機器において、経年変化などによる調整点のずれを自己装置内で校正することのできるセルフキャリブレーション回路が開示されている。このセルフキャリブレーション回路は、校正用基準入力信号と基準出力信号を記憶する基準信号メモリ部を制御部に接続し、校正用基準入力信号を校正用基準アナログ信号に変換するＡ／Ｄ変換器を制御部に接続し、またアナログ信号処理回路の入力側に、映像入力と校正用基準アナログ信号を切換える切換回路を接続し、セルフキャリブレーション機能状態では、映像入力と校正用基準アナログ信号を切換え、それらのレベルの差分をアナログ信号処理回路で補正する。
【特許文献１】特開平７−１５９５１４号公報
【特許文献２】特開平７−２３１４０９号公報
【発明の開示】
【発明が解決しようとする課題】
【０００５】
航空機または車両搭載用レーダ装置において、その調整ボリュームの校正のために、前記特開平７−２３１４０９号公報に開示されたセルフキャリブレーション機能を持たすには、少なくとも校正用アナログ信号を発生するためのＡ／Ｄ変換器と、調整ボリュームからのボリュームアナログ電圧値と校正用アナログ信号とを切換える切換回路を追加する必要がある。このため航空機搭載用レーダ装置では、その規模が大きくなり、車両に組み込まれた車両搭載用レーダでも、そのレーダ装置の占める空間、レーダ装置の重量が大きくなり、また追加回路のための配線変更などのハードウエア変更も行なう必要が生じる。
【０００６】
またセルフキャリブレーション回路を持たない航空機または車両搭載用レーダ装置では、調整ボリュームを校正するために、レーダ装置の器材を航空機、車両から外して、調整、点検エリアの持ち帰って校正を行なうか、または校正用計測器を狭い航空機、車両内に持ち込み、校正を行なう必要がある。
【０００７】
この発明は、特別な追加回路を必要とせずに、調整ボリュームの校正を行なうことのできる改良されたレーダ装置の調整ボリュームの校正回路を提案するものである。
【課題を解決するための手段】
【０００８】
この発明によるレーダ装置の調整ボリュームの校正回路は、調整目盛を有し、この調整目盛に対応するボリュームアナログ出力値を出力する調整ボリュームと、前記ボリュームアナログ出力値をボリュームディジタル値に変換するＡ／Ｄ変換回路と、オン、オフ操作される操作スイッチと、前記調整ボリュームに対応するディジタルボリューム値と、前記調整ボリュームの調整目盛値との対応データを記憶した記憶テーブルを有するテーブルメモリと、前記操作スイッチと前記Ａ／Ｄ変換回路と前記テーブルメモリに接続され、レーダ装置の通常動作時に、前記操作スイッチの状態と前記ボリュームディジタル値を読み取り、前記操作スイッチのオン動作により、前記記憶テーブルを参照し、前記ボリュームディジタル値に基づいて、それと一致する前記ディジタルボリューム値に対応した前記調整目盛値を読み出し、この調整目盛値に対応してレーダ装置を制御するレーダ制御部とを備え、前記調整ボリュームの周囲温度の変化、またはその抵抗値の経年変化に関連して、前記記憶テーブルにおける前記ディジタルボリューム値を校正するレーダ装置の調整ボリュームの校正回路であって、
前記調整ボリュームの校正指示信号の入力部を前記レーダ制御部に設け、前記記憶テーブルにおける前記ディジタルボリューム値を校正するときに前記校正指示信号が所定レベルとされ、この校正指示信号が所定レベルとされたときに、前記レーダ制御部が、前記操作スイッチのオン動作により、前記調整ボリュームの調整目盛値に対応した前記ボリュームディジタル値を読み込み、この読み込んだボリュームディジタル値を用い、前記記憶テーブルにおいて、前記調整ボリュームの調整目盛値に対応する前記ディジタルボリューム値を校正するように構成したことを特徴とする。
【発明の効果】
【０００９】
この発明によるレーダ装置の調整ボリュームの校正回路では、オン、オフ操作される操作スイッチと、調整ボリュームのボリュームアナログ電圧値をボリュームディジタル値に変換するＡ／Ｄ変換器回路をそのまま使用し、調整ボリュームの調整目盛値に対応したボリュームディジタル値を用いて、操作スイッチのオン動作により、テーブルメモリに記憶された記憶テーブルのディジタルボリューム値を校正するように構成したので、特別な回路部品を追加することなく、記憶テーブルにおける調整ボリュームの調整目盛値に対応したディジタルボリューム値を校正することができ、レーダ装置の規模の増大、重量の増大を回避して、簡単に調整ボリュームの校正を行なうことができる。
【発明を実施するための最良の形態】
【００１０】
以下この発明によるいくつかの実施の形態について、図面を参照して説明する。
【００１１】
図１は、この発明によるレーダ装置の調整ボリュームの校正回路の実施の形態１を示すブロック図である。この実施の形態１は、航空機または自動車などの移動機搭載用レーダ装置の調整ボリュームの校正回路である。
【００１２】
実施の形態１のレーダ装置の調整ボリュームの校正回路は、操作スイッチ１と、調整ボリューム２と、アナログ信号処理回路３と、Ａ／Ｄ変換部またはＡ／Ｄ変換器４と、制御部５と、テーブルメモリ６を備えている。制御部５には、調整ボリューム２の校正指示信号Ｓ１の入力部７が設けられる。
【００１３】
操作スイッチ１は、押ボタンスイッチであり、レーダ装置の通常動作時には、移動機搭載用レーダ装置の状態を制御する。具体的には、この操作スイッチ１は、移動機搭載用レーダ装置の通常動作時には、例えば、そのレーダ装置で捕らえた目標に対して、識別記号などの識別タグを付与する操作スイッチ、またはそのレーダ装置のレーダ表示器に表示距離範囲を設定する操作スイッチである。この操作スイッチ１は、調整ボリューム２の校正動作時には、テーブルメモリ６に記憶されたボリュームディジタル値を校正して再設定する。
【００１４】
調整ボリューム２は、回転式の可変抵抗器であり、具体的には、移動機搭載用レーダ装置の通常動作時には、そのレーダ装置におけるレーダ表示器の映像の濃さを調整する調整ボリューム、またはそのレーダ装置のティルト角を調整する調整ボリュームである。実施の形態１は、この調整ボリューム２の周囲温度の変化、または抵抗値の経年変化に伴なう校正を行なう校正回路である。
【００１５】
操作スイッチ１および調整ボリューム２は、ともにレーダ装置を制御する操作パネル上に配置される。調整ボリューム２は、図２（ａ）（ｂ）（ｃ）に示すように、調整目盛２ａと、操作つまみ２ｂと、基準位置マーク２ｃを有する。調整目盛２ａは、レーダ装置の操作パネルに印刷され、例えば調整目盛値（０）〜（７）の８段階の目盛を含む。この８段階の調整目盛値（０）から（７）は、同一の円周上に、互いに等しい角度間隔で印刷される。操作つまみ２ｂは、調整ボリューム２の回転軸に取り付けられる。基準位置マーク２ｃは、操作つまみ２ｂの外周の所定位置に形成され、その回転に応じて、調整目盛２ａの各調整目盛値に対向するように調整される。
【００１６】
アナログ信号処理回路３は、調整ボリューム２に接続され、調整ボリューム２の調整に応じて変化するボリュームアナログ電圧値Ｖａを発生する。このアナログ信号処理回路３は、調整ボリューム２の操作つまみ２ｂが調整目盛２ａに対応して調整されたときに、調整目盛２ａに対応するボリュームアナログ電圧値Ｖａを出力する。Ａ／Ｄ変換部またはＡ／Ｄ変換器４は、Ａ／Ｄ変換回路を構成し、アナログ信号処理回路３に接続され、ボリュームアナログ電圧Ｖａをボリュームディジタル値Ｖｄに変換する。
【００１７】
具体的には、図２（ａ）に示すように、基準位置マーク２ｃが調整目盛値（０）に合わされた状態では、アナログ信号処理回路３からボリュームアナログ電圧値Ｖａ０が出力され、Ａ／Ｄ変換器４からボリュームディジタル値Ｖｄ０が出力される。このボリュームディジタル値Ｖｄ０は、例えばディジタル値１０とされる。図２（ｂ）に示すように、基準位置マーク２ｃが調整目盛値（３）に合わされた状態では、アナログ信号処理回路３からボリュームアナログ電圧値Ｖａ３が出力され、Ａ／Ｄ変換器４からボリュームディジタル値Ｖｄ３が出力される。このボリュームディジタル値Ｖｄ３は、例えばディジタル値１００とされる。図２（ｃ）に示すように、基準位置マーク２ｃが調整目盛値（７）に合わされた状態では、アナログ信号処理回路３からボリュームアナログ電圧値Ｖａ７が出力され、Ａ／Ｄ変換器４からボリュームディジタル値Ｖｄ７が出力される。このボリュームディジタル値Ｖｄ７は、例えばディジタル値２２０とされる。
【００１８】
図３は、調整ボリューム２の調整目盛２ａと、ボリュームディジタル値Ｖｄとの関係を示す特性図である。横軸は調整目盛２を示し、縦軸はボリュームディジタル値Ｖｄを示す。調整目盛２ａとボリュームディジタル値Ｖｄとの関係は、図３に示すように、直線関係にある。
【００１９】
操作スイッチ１とＡ／Ｄ変換器４は、制御部５に接続される。この制御部５は、移動機搭載用レーダ装置の通常動作時には、操作スイッチ１のオン、オフ状態と、Ａ／Ｄ変換器４からのボリュームディジタル値Ｖｄを読み込み、レーダ装置の制御を行なう。具体的には、操作スイッチ１のオン動作により、目標に対する識別タグを付与し、またはレーダ表示器の表示距離範囲を設定し、また、ボリュームディジタル値Ｖｄの調整により、レーダ表示器の映像の濃さを制御し、またはレーダ装置のティルト角を調整する。この制御部５は、例えばディジタルコンピュータによって構成される。この制御部５には、テーブルメモリ６が接続され、また校正指示信号Ｓ１の入力部７が設けられる。
【００２０】
テーブルメモリ６は、調整ボリューム２に対応したディジタルボリューム値ＤＶと調整目盛２ａの調整目盛値との対応データを記憶する記憶テーブルを有する。この記憶テーブルには、調整ボリューム２の調整目盛値（０）、（１）、・・・、（７）に対応した複数のディジタルボリューム値ＤＶ０、ＤＶ１、・・・、ＤＶ７と、この各ディジタルボリューム値ＤＶ０、ＤＶ１、・・・、ＤＶ７のそれぞれに対応した調整目盛値（０）、（１）、・・・、（７）が記憶される。
【００２１】
さらに、ディジタルボリューム値ＤＶ０、ＤＶ１、・・・、ＤＶ７のそれぞれの間を、１０等分したディジタルボリューム値と、それらの各ディジタルボリューム値に対応する調整目盛値も、テーブルメモリ６に記憶される。具体的には、ディジタルボリューム値ＤＶ０とＤＶ１との間には、それらのディジタルボリューム値ＤＶ０とＤＶ１との差を１０等分したディジタルボリューム値ＤＶ０１、ＤＶ０２、・・・、ＤＶ０９と、それらに対応する調整目盛値（０１）（０２）・・・（０９）との対応データが記憶される。同様に、ディジタルボリューム値ＤＶ１とＤＶ２との間には、それらのディジタルボリューム値ＤＶ１とＤＶ２との差を１０等分したディジタルボリューム値ＤＶ１１、ＤＶ１２、・・・、ＤＶ１９と、それらに対応する調整目盛値（１１）（１２）・・・（１９）との対応データが記憶され、また、ディジタルボリューム値ＤＶ６とＤＶ７との間には、それらのディジタルボリューム値ＤＶ６とＤＶ７との差を１０等分したＤＶ６１、ＤＶ６２、・・・、ＤＶ６９と、それらに対応する調整目盛値（６１）（６２）・・・（６９）との対応データが記憶される。制御部５は、移動機搭載用レーダ装置の通常動作時には、Ａ／Ｄ変換器４から出力されるボリュームディジタル値Ｖｄに基づき、テーブルメモリ６に記憶されたディジタルボリューム値を参照し、一致するディジタルボリューム値からそれに対応する調整目盛値を読み出し、その調整目盛値に対応してレーダ装置のレーダ表示器の映像の濃さ、またはティルト角を制御する。
【００２２】
入力部７の校正指示信号Ｓ１は、調整ボリューム２の校正時には、ハイレベルとなり、調整ボリューム２の校正を行なわない状態では、校正指示信号Ｓ１はロウレベルとなる。制御部５は、校正指示信号Ｓ１がハイレベルとなった校正時には、レーダ装置の制御を行なわずに、調整ボリューム２の校正動作を実行し、また校正指示信号Ｓ１がロウレベルとなった状態では、調整ボリューム２の校正動作を行なわずに、レーダ装置の制御を実行する。
【００２３】
図４は、実施の形態１による調整ボリューム２の校正動作を示すフローチャートである。この図４のフローチャートは、校正スタートＳと終了Ｅとの間の８つにステップＳ１１〜Ｓ１８を含んでいる。校正指示信号Ｓ１をハイレベルとすることにより、校正スタートＳＳに至り、調整ボリューム２の校正がスタートする。この校正では、テーブルメモリ６に記憶された記憶テーブルについて、調整ボリューム２の調整目盛値に対応したディジタルボリューム値ＤＶの校正が行なわれる。
【００２４】
まず、ステップＳ１１、Ｓ１２では、調整ボリューム２の調整目盛値（０）に対応したテーブルメモリ６のディジタルボリューム値ＤＶ０の校正を行なう。ステップＳ１１では、操作員は、調整ボリューム２の操作つまみ２ｂを回転操作して、その基準位置マーク２ｃを調整目盛値（０）に合わせた後、操作スイッチ１を押下げて、オンとする。このステップＳ１１において、アナログ信号処理回路３は、調整目盛値（０）に対応するボリュームアナログ電圧値Ｖａ０を出力し、Ａ／Ｄ変換器４は、それをディジタル変換して、ボリュームディジタル値Ｖｄ０を出力する。ステップＳ１２では、制御部５は、操作スイッチ１の状態を読み込み、またＡ／Ｄ変換器４からのボリュームディジタル値Ｖｄ０を読み込む。制御部５は、操作スイッチ１がオンとなったことに基づき、Ａ／Ｄ変換器４から読み込んだボリュームディジタル値Ｖｄ０を用いて、現在校正中の調整目盛値（０）に対応したテーブルメモリ６のディジタルボリューム値ＤＶ０を再設定し、校正する。
【００２５】
次のステップＳ１３、Ｓ１４では、調整ボリューム２の調整目盛値（３）に対応したテーブルメモリ６のディジタルボリューム値ＤＶ３の校正を行なう。ステップＳ１３では、操作員は、調整ボリューム２の操作つまみ２ｂを回転操作して、その基準位置マーク２ｃを調整目盛値（３）に合わせた後、操作スイッチ１を押下げて、オンとする。このステップＳ１３において、アナログ信号処理回路３は、調整目盛値（３）に対応するボリュームアナログ電圧値Ｖａ３を出力し、Ａ／Ｄ変換器４は、それをディジタル変換して、ボリュームディジタル値Ｖｄ３を出力する。ステップＳ１４では、制御部５は、操作スイッチ１の状態を読み込み、またＡ／Ｄ変換器４からのボリュームディジタル値Ｖｄ３を読み込む。制御部５は、操作スイッチ１がオンとなったことに基づき、Ａ／Ｄ変換器４から読み込んだボリュームディジタル値Ｖｄ３を用いて、現在校正中の調整目盛値（３）に対応したテーブルメモリ６のボリュームディジタル値ＤＶ３を再設定して、校正する。
【００２６】
ステップＳ１４では、さらに制御部５は、校正したテーブルメモリ６のディジタルボリューム値ＤＶ０、ＤＶ３を用いて、調整ボリューム２の調整目盛値（０）と（３）との間の中間調整目盛値（１）（１１）（１２）・・・（１９）、（２）（２１）（２２）・・・（２９）に対応したテーブルメモリ６のディジタルボリューム値ＤＶ１、ＤＶ１１、ＤＶ１２、・・・ＤＶ１９、ＤＶ２、ＤＶ２１、ＤＶ２２、・・・、ＤＶ２９を直線補間計算し、この直線補間計算により、テーブルメモリ６のディジタルボリューム値ＤＶ１、ＤＶ１１、ＤＶ１２、・・・ＤＶ１９、ＤＶ２、ＤＶ２１、ＤＶ２２、・・・、ＤＶ２９を校正する。例えば、テーブルメモリ６において、校正されたディジタルボリューム値ＤＶ０、ＤＶ３がそれぞれディジタル値１０、１００であるとき、ボリュームディジタル値Ｖｄ１、Ｖｄ２は、直線補間計算によりそれぞれディジタル値４０、７０と計算され、これらのディジタル値により、ディジタルボリューム値ＤＶ１、ＤＶ２を再設定して、校正する。
【００２７】
次のステップＳ１５、Ｓ１６では、調整ボリューム２の調整目盛値（５）に対応したテーブルメモリ６のディジタルボリューム値ＤＶ５の校正を行なう。ステップＳ１５では、操作員は、調整ボリューム２の操作つまみ２ｂを回転操作して、その基準位置マーク２ｃを調整目盛値（５）に合わせた後、操作スイッチ１を押下げて、オンとする。このステップＳ１５において、アナログ信号処理回路３は、調整目盛値（５）に対応するボリュームアナログ電圧値Ｖａ５を出力し、Ａ／Ｄ変換器４は、それをディジタル変換して、ボリュームディジタル値Ｖｄ５を出力する。ステップＳ１６では、制御部５は、操作スイッチ１の状態を読み込み、またＡ／Ｄ変換器４からのボリュームディジタル値Ｖｄ５を読み込む。制御部５は、操作スイッチ１がオンとなったことに基づき、Ａ／Ｄ変換器４から読み込んだボリュームディジタル値Ｖｄ５を用いて、現在校正中の調整目盛値（５）に対応したテーブルメモリ６のディジタルボリューム値ＤＶ５を再設定して、校正する。
【００２８】
ステップＳ１６では、さらに制御部５は、校正したテーブルメモリ６のディジタルボリューム値ＤＶ３、ＤＶ５を用いて、調整ボリューム２の調整目盛値（３）と（５）との間の中間調整目盛値（３１）（３２）・・・（３９）、（４）（４１）（４２）・・・（４９）に対応したテーブルメモリ６のディジタルボリューム値ＤＶ３１、ＤＶ３２、・・・、ＤＶ３９、ＤＶ４、ＤＶ４１、ＤＶ４２、・・・、ＤＶ４９を直線補間計算し、この直線補間計算により、テーブルメモリ６のディジタルボリューム値ＤＶ３１、ＤＶ３２、・・・、ＤＶ３９、ＤＶ４、ＤＶ４１、ＤＶ４２、・・・、ＤＶ４９を再設定して、校正する。例えば、テーブルメモリ６において、校正されたディジタルボリューム値ＤＶ３、ＤＶ５がそれぞれディジタル値１００、１６０であるとき、ディジタルボリューム値ＤＶ４は、直線補間計算によりディジタル値１３０と計算され、このディジタル値により、ディジタルボリューム値ＤＶ４を再設定して、校正する。
【００２９】
次のステップＳ１７、Ｓ１８では、調整ボリューム２の調整目盛値（７）に対応したテーブルメモリ６のディジタルボリューム値ＤＶ７の校正を行なう。ステップＳ１７では、操作員は、調整ボリューム２の操作つまみ２ｂを回転操作して、その基準位置マーク２ｃを調整目盛値（７）に合わせた後、操作スイッチ１を押下げて、オンとする。このステップＳ１７において、アナログ信号処理回路３は、調整目盛値（７）に対応するボリュームアナログ電圧値Ｖａ７を出力し、Ａ／Ｄ変換器４は、それをディジタル変換して、ボリュームディジタル値Ｖｄ７を出力する。ステップＳ１８では、制御部５は、操作スイッチ１の状態を読み込み、またＡ／Ｄ変換器４からのボリュームディジタル値Ｖｄ７を読み込む。制御部５は、操作スイッチ１がオンとなったことに基づき、Ａ／Ｄ変換器４から読み込んだボリュームディジタル値Ｖｄ７を用いて、現在校正中の調整目盛値（７）に対応したテーブルメモリ６のディジタルボリューム値ＤＶ７を再設定して、校正する。
【００３０】
ステップＳ１８では、さらに制御部５は、校正したテーブルメモリ６のディジタルボリューム値ＤＶ５、ＤＶ７を用いて、調整ボリューム２の調整目盛値（５）と（７）との間の調整目盛値（５１）（５２）・・・（５９）、（６）（６１）（６２）・・・（６９）に対応したテーブルメモリ６のディジタルボリューム値ＤＶ５１、ＤＶ５２、・・・、ＤＶ５９、ＤＶ６、ＤＶ６１、ＤＶ６２、・・・、ＤＶ６９を直線補間計算し、この直線補間計算により、テーブルメモリ６のディジタルボリューム値ＤＶ５１、ＤＶ５２、・・・、ＤＶ５９、ＤＶ６、ＤＶ６１、ＤＶ６２、・・・、ＤＶ６９を校正する。例えば、テーブルメモリ６において、校正されたディジタルボリューム値ＤＶ５、ＤＶ７がそれぞれディジタル値１６０、２２０であるとき、ディジタルボリューム値ＤＶ６は、直線補間計算によりディジタル値１９０と計算され、このディジタル値により、ディジタルボリューム値ＤＶ６を再設定して、校正する。
【００３１】
以上のように実施の形態１では、移動機搭載用レーダ装置の制御用の操作スイッチ１と、Ａ／Ｄ変換器４をそのまま使用し、調整ボリューム２の調整目盛値（０）、（３）、（５）、（７）に対応したボリュームディジタル値Ｖｄ０、Ｖｄ３、Ｖｄ５、Ｖｄ７を用いて、それぞれ操作スイッチ１の動作に基づき、テーブルメモリ６に記憶されたディジタルボリューム値ＤＶ０、ＤＶ３、ＤＶ５、ＶＤ７を校正するように構成したので、特別な回路部品を追加することなく、調整ボリューム２の調整目盛２ａに対応したテーブルメモリ６のディジタルボリューム値を校正することができ、レーダ装置の規模の増大、重量の増大を回避して、簡単に調整ボリューム２の校正を行なうことができる。
【００３２】
また、実施の形態１では、調整目盛値（０）、（３）、（５）、（７）の中の相隣なる２つの調整目盛値（０）と（３）、（３）と（５）、（５）と（７）の校正されたディジタルボリューム値ＤＶ０、ＤＶ３、ＤＶ５、ＤＶ７を用いて、それらの中間の中間調整目盛値（０１）（０２）・・・（０９）（１）（１１）（１２）・・・（１９）（２）（２１）（２２）・・・（２９）、（３１）（３２）・・・（３９）（４）（４１）（４２）・・・（４９）、（５１）（５２）・・・（５９）（６）（６１）（６２）・・・（６９）に対応したテーブルメモリ６のディジタルボリューム値ＤＶ０１、ＤＶ０２、・・・、ＤＶ０９、ＤＶ１、ＤＶ１１、ＤＶ１２、・・・、ＤＶ１９、ＤＶ２、ＤＶ２１、ＤＶ２２、・・・、ＤＶ２９、ＤＶ３１、ＤＶ３２、・・・、ＤＶ３９、ＤＶ４、ＤＶ４１、ＤＶ４２、・・・、ＤＶ４９、ＤＶ５１、ＤＶ５２、・・・、ＤＶ５９、ＤＶ６、ＤＶ６１、ＤＶ６２、・・・、ＤＶ６９を直線補間により校正するので、より簡単に調整ボリューム２の校正を行なうことができる。
【００３３】
実施の形態２．
この実施の形態２は、実施の形態１において、調整ボリューム２を、順次調整目盛値（０）、（１）、（２）、（３）、（４）、（５）、（６）、（７）に合わせ、Ａ／Ｄ変換器４からそれぞれの調整目盛値に対応するボリュームディジタル値Ｖｄ０、Ｖｄ１、・・・、Ｖｄ７を出力した後、これらのボリュームディジタル値Ｖｄ０、Ｖｄ１、・・・、Ｖｄ７を用いて、それぞれ操作スイッチ１のオン動作に基づき、テーブルメモリ６のディジタルボリューム値ＤＶ０、ＤＶ１、・・・、ＤＶ７を校正するように、変更したものである。
【００３４】
この実施の形態２では、実施の形態１における、中間調整目盛値（１）、（２）、（４）、（６）に対応したディジタルボリューム値ＤＶ１、ＤＶ２、ＤＶ４、DＶ６を、直線補間によらずに直接校正するので、校正精度を向上することができる。中間調整目盛値（０１）（０２）・・・（０９）、（１１）（１２）・・・（１９）、（２１）（２２）・・・（２９）、（３１）（３２）・・・（３９）、（４１）（４２）・・・（４９）、（５１）（５２）・・・（５９）、（６１）（６２）・・・（６９）は、それぞれ調整目盛値（０）（１）・・・（７）に対応する校正されたディジタルボリューム値ＤＶ０、ＤＶ１、・・・、ＤＶ７を用いて、制御部５による直線補間に基づいて、実施の形態１と同様にして、校正される。
【産業上の利用可能性】
【００３５】
この発明によるレーダ装置の調整ボリュームの校正回路は、例えば航空機搭載用レーダ、または車両搭載用レーダに利用することができる。
【図面の簡単な説明】
【００３６】
【図１】図１は、この発明によるレーダ装置の調整ボリュームの校正回路の実施の形態１を示すブロック図。
【図２】図２は、実施の形態１の調整ボリュームの詳細とともに、その調整動作を説明あする説明図。
【図３】図３は、実施の形態１の調整ボリュームの調整目盛とボリュームディジタル値との関係を示す特性図。
【図４】図４は、実施の形態１の調整ボリュームの校正動作を示すフローチャート。
【符号の説明】
【００３７】
１：操作スイッチ、２：調整ボリューム、３：アナログ信号処理回路、
４：Ａ／Ｄ変換器、５：制御部、６：テーブルメモリ、７：校正指示信号の入力部。
【図１】
0004716884.tif 000002
【図２】
0004716884.tif 000003
【図３】
0004716884.tif 000004
【図４】
0004716884.tif 000005